(57)【要約】      （修正有）【課題】多層羽根を有する扇風機において、先羽根と後羽根を一体成型することにより、送風効果が良くかつ組立が簡単な羽根群を提供する。【解決手段】一つの回転スリーブ１１０と、一組の先羽根群１２０と、一組の後羽根群１３０により、羽根群を構成する。前記回転スリーブ１１０は扇風機の出力回転軸に固定する。前記先羽根群１２０には六つの先羽根１２１があり、前記六つの先羽根１２１は環状に配列して回転スリーブ１１０の外周面に固定される。前記後羽根群１３０には六つの後羽根１３１があり、前記六つの後羽根１３１は環状に配列して回転スリーブ１１０の外周面に固定される。前記先羽根１２１は後羽根１３１より大きくする。さらに前記回転スリーブ１１０と、六つの先羽根１２１と、六つの後羽根１３１とは一体成形する。さらに、前記先羽根群１２０は後羽根群１３０の前に位置し、前記六つの先羽根１２１は六つの後羽根と交錯させる。【選択図】図１
0003157120.tif 000002
【実用新案登録請求の範囲】
【請求項１】
一つの回転スリーブと、１組の先羽根群と、１組の後羽根群とからなり、前記先羽根群には複数個の先羽根が環状に配列して回転スリーブの外周面に固定され、前記後羽根群には複数個の後羽根が環状に配列して回転スリーブの外周面に固定され、前記先羽根群は後羽根群の前に位置し、さらに、前記先羽根は後羽根より大きい扇風機の羽根群。
【請求項２】
前記回転スリーブと、先羽根と、後羽根とは一体成型されることを特徴とする請求項１記載の扇風機の羽根群。
【請求項３】
前記先羽根の数は後羽根の数と同じで、さらに、前記複数個の先羽根は複数個の後羽根と交錯するようにしたことを特徴とする請求項１記載の扇風機の羽根群。
【請求項４】
前記先羽根の数は少なくとも三つであるようにしたことを特徴とする請求項１記載の扇風機の羽根群。
【請求項５】
前記先羽根の長さは後羽根の長さより長いようにしたことを特徴とする請求項３記載の扇風機の羽根群。
【請求項６】
前記回転スリーブの半径と、先羽根の長さと、後羽根の長さとの割合は１：２．５−３．５：１−１．５であるようにしたことを特徴とする請求項３記載の扇風機の羽根群。
【考案の詳細な説明】
【技術分野】
【０００１】
本実用新案は扇風機の羽根群に関する。
【背景技術】
【０００２】
従来の扇風機の羽根群は羽根が単層であり、その中には、一つの回転スリーブと、一組の羽根群とがあり、前記羽根群には複数の羽根が環状に配列して回転スリーブの外周面に固定される。単層羽根の扇風機には、後部中心の風域から空気が吸入できず、空気の吸入効果が悪く、また送風効果も良くないという問題点がある。
【０００３】
以上の問題を解決するために、ある業者は解決方法を提供した。ＣＮ２００９９９７５９Ｙは一種の改良した多層羽根を有する扇風機を提供する、その公告日は２００８年１月２日である。前記多層羽根は二層の羽根で、その中には、一つの回転スリーブと、一組の先羽根群と、一組の後羽根群とがあり、前記先羽根群には複数の先羽根が環状に配列して回転スリーブの外周面に固定され、前記後羽根群には複数の後羽根が環状に配列して回転スリーブの外周面に固定され、前記先羽根群は後羽根群の前に位置する。前記扇風機には以下の問題があり、１）扇風機の先部中心の無風域を補償できるが、先置きの小羽根の風量は後ろ置きの大羽根から隠され、送風効果に影響を及ぼし、２）小羽根と大羽根は別々にデザインしてから組み立てられ、このようなデザインを組み立てる時、環境影響を受けて、小羽根と大羽根の相対位置がずれ、または小羽根と大羽根とが重なる恐れがあり、さらに、組立が複雑で、組立コストが高い、３）扇風機後部の風域から空気を吸い込むことができず、空気の吸入効果が悪く、送風効果も良くない。
【考案の概要】
【考案が解決しようとする課題】
【０００４】
本実用新案の目的として、一種の扇風機の羽根群を提供し、送風効果が悪く、組立が複雑であるという従来扇風機の問題を解決する。
【課題を解決するための手段】
【０００５】
本実用新案は以下の技術手段を採用した。
【０００６】
扇風機の羽根群が回転し、そして、後ろ側から風を吸い込んで、先側へ風を送って、その中には、一つの回転スリーブと、１組の先羽根群と、それに１組の後羽根群とがあり、前記先羽根群には複数個の先羽根が環状に配列して回転スリーブの外周面に固定され、前記後羽根群には複数個の後羽根が環状に配列して回転スリーブの外周面に固定され、前記先羽根群は後羽根群の前に位置し、さらに、前記先羽根は後羽根より大きい。
【０００７】
もっとも好ましい実施例によれば、前記回転スリーブと、先羽根と、後羽根とは一体成型される。
【０００８】
もっとも好ましい実施例によれば、前記先羽根の数は後羽根の数と同じで、さらに、前記複数個の先羽根は複数個の後羽根と交錯する。
【０００９】
もっとも好ましい実施例によれば、前記先羽根の数は少なくとも三つである。
【００１０】
もっとも好ましい実施例によれば、前記先羽根の長さは後羽根の長さより長い。
【００１１】
もっとも好ましい実施例によれば、前記回転スリーブの半径と、先羽根の長さと、後羽根の長さとの割合は１：２．５−３．５：１−１．５である。
【００１２】
本技術手段と従来技術とを比べると、本発明には二層の羽根が設置され、そして、大羽根は先に位置し、小羽根は後ろに位置するので、回転する時、小羽根は扇風機の後部中心の風域から空気を吸い込んで、扇風機後部の吸気量を増加し、扇風機全体の風力も増加できる。そして、回転スリーブと、先羽根と、後羽根とは一体成形されるので、組み立てる時、小羽根が大羽根と重なったり、またずれたりする恐れがなく、成形や組立が簡単で、組立コストも節約できる。複数個の先羽根は複数個の後羽根と交錯するので、先羽根が吸気するのを後羽根に隠されることを避けることができる。
【図面の簡単な説明】
【００１３】
以下に図と好ましい実施形態とをまとめて、本実用新案の内容を一層詳しく説明する。
【００１４】
【図１】本実用新案の一つの好ましい実施形態の扇風機の羽根群の立体図を示す。
【図２】本実用新案の一つの好ましい実施形態の扇風機の羽根群の左側面図を示す。
【図３】本実用新案の一つの好ましい実施形態の扇風機の羽根群の正面図を示す。
【考案を実施するための形態】
【００１５】
図１、図２、および図３に示されるように、一種の扇風機の羽根群には、一つの回転スリーブ１１０と、一組の先羽根群１２０と、一組の後羽根群１３０とがある。前記回転スリーブ１１０は扇風機の出力回転軸に固定する。前記先羽根群１２０には六つの先羽根１２１があり、前記六つの先羽根１２１は環状に配列して回転スリーブ１１０の外周面に固定される。前記後羽根群１３０には六つの後羽根１３１があり、前記六つの後羽根１３１は環状に配列して回転スリーブ１１０の外周面に固定される。前記先羽根１２１は後羽根１３１より大きく、さらに前記回転スリーブ１１０の半径と、先羽根の長さ１２１と、後羽根の長さ１３１との割合は１：３．１：１．２である。
【００１６】
前記回転スリーブ１１０と、六つの先羽根１２１と、六つの後羽根１３１とは一体成形される。さらに、前記先羽根群１２０は後羽根群１３０の前に位置し、前記六つの先羽根１２１は六つの後羽根と交錯する。
【００１７】
扇風機を制御し、出力回転軸を回転させてから、回転スリーブ１１０を回転させる。前記回転スリーブ１１０と、前記先羽根群１２０と、後羽根組１３０とが回転し、そして、後ろ側から空気を吸い込んで、先側へ空気を送る。
【００１８】
以上のように、本実用新案における一つの好ましい実施例を開示したが，本実用新案のデザインアイディアはこれに限定されるものではなく，当業者が，本実用新案のアイディアと範囲に基づき様々に変形させることは可能であり，それらは本実用新案の請求項の保護範囲から排除されるものではない。
【図１】
0003157120.tif 000003
【図２】
0003157120.tif 000004
【図３】
0003157120.tif 000005